(57)【要約】【課題】  拠点毎に配置されたカラー画像を出力する複数の画像出力端末における画像の観察環境の管理を一括して容易に行うことが可能な観察環境管理サーバ、観察環境管理システム及びその観察環境管理方法を提供すること。【解決手段】  ネットワークを介して観察環境を検出する検出手段３を備えた複数の画像出力端末２が接続され、管理サーバ１に、各画像出力端末の検出手段により検出された観察環境情報を収集し、収集した観察環境情報を分析し編集し、その結果を一覧表示するための一覧表示情報を生成する生成手段１５と、一覧表示情報に基づいて一覧表示をする表示手段１４とを有することを特徴とする。【選択図】      図１
2006252375.tif 000002
【特許請求の範囲】
【請求項１】
画像データに基づくカラー画像を出力する画像出力端末におけるカラー画像の観察に関わる観察環境を管理する観察環境管理サーバであって、
ネットワークを介して、観察環境情報を検出する検出手段を備えた複数の前記画像出力端末が接続され、
前記画像出力端末のそれぞれの前記検出手段により検出された前記観察環境情報を収集し、前記収集した観察環境情報を分析し編集し、その結果を一覧表示するための一覧表示情報を生成する生成手段と、
前記一覧表示情報に基づいて前記一覧表示をする表示手段とを有することを特徴とする観察環境管理サーバ。
【請求項２】
画像データに基づくカラー画像を出力する画像出力端末におけるカラー画像の観察に関わる観察環境を管理する観察環境管理サーバであって、
ネットワークを介して、観察環境情報を検出する検出手段を備えた複数の前記画像出力端末が接続され、
前記画像出力端末のそれぞれの前記検出手段により検出された前記観察環境情報を収集し、前記収集した観察環境情報を分析し編集し、その結果を一覧表示するための一覧表示情報を生成する生成手段と、
前記画像出力端末に、前記一覧表示情報を表示可能に送信する送信手段とを有することを特徴とする観察環境管理サーバ。
【請求項３】
画像データに基づくカラー画像を出力する画像出力端末におけるカラー画像の観察に関わる観察環境を管理する観察環境管理サーバであって、
ネットワークを介して、観察環境情報を検出する検出手段を備えた複数の前記画像出力端末が接続され、
前記画像出力端末のそれぞれの前記検出手段により検出された前記観察環境情報を収集し、前記収集した観察環境情報を分析し編集し、その結果を一覧表示するための一覧表示情報を生成する生成手段と、
いずれかの前記画像出力端末からの要求を受けて、前記要求のあった画像出力端末に、前記一覧表示情報を表示可能に送信する送信手段とを有することを特徴とする観察環境管理サーバ。
【請求項４】
前記分析は、予め定められた合否基準と前記収集した観察環境情報とを比較して合否判定が行われ、
前記一覧表示は、前記合否判定結果を表示する請求項１乃至請求項３のいずれかに記載の観察環境管理サーバ。
【請求項５】
前記観察環境情報は、前記画像出力端末の周囲の周囲光の照度、分光値、表色系の値、または、色温度の中の少なくとも１つを示すものである請求項１乃至請求項４のいずれかに記載の観察環境管理サーバ。
【請求項６】
複数の拠点に備えられた画像データに基づくカラー画像を出力する画像出力端末におけるカラー画像の観察に関わる観察環境を管理するための観察環境管理システムであって、
前記画像出力端末は、観察環境情報を検出する検出手段を備え、
前記画像出力端末とはネットワークを介して接続され、
前記画像出力端末のそれぞれの前記検出手段により検出された前記観察環境情報を収集し、前記収集した観察環境情報を分析し編集し、その結果を一覧表示するための一覧表示情報を生成する生成手段と、
前記一覧表示情報に基づいて前記一覧表示をする表示手段とを備える観察環境管理サーバを含むことを特徴とする観察環境管理システム。
【請求項７】
複数の拠点に備えられた画像データに基づくカラー画像を出力する画像出力端末におけるカラー画像の観察に関わる観察環境を管理するための観察環境管理システムであって、
前記画像出力端末は、観察環境情報を検出する検出手段を備え、
前記画像出力端末とはネットワークを介して接続され、
前記画像出力端末のそれぞれの前記検出手段により検出された前記観察環境情報を収集し、前記収集した観察環境情報を分析し編集し、その結果を一覧表示するための一覧表示情報を生成する生成手段と、
前記画像出力端末に、前記一覧表示情報を表示可能に送信する送信手段とを備える観察環境管理サーバを含むことを特徴とする観察環境管理システム。
【請求項８】
複数の拠点に備えられた画像データに基づくカラー画像を出力する画像出力端末におけるカラー画像の観察に関わる観察環境を管理するための観察環境管理システムであって、
前記画像出力端末は、観察環境情報を検出する検出手段を備え、
前記画像出力端末とはネットワークを介して接続され、
前記画像出力端末のそれぞれの前記検出手段により検出された前記観察環境情報を収集し、前記収集した観察環境情報を分析し編集し、その結果を一覧表示するための一覧表示情報を生成する生成手段と、
いずれかの前記画像出力端末からの要求を受けて、前記要求のあった画像出力端末に、前記一覧表示情報を表示可能に送信する送信手段とを備える観察環境管理サーバを含むことを特徴とする観察環境管理システム。
【請求項９】
複数の拠点に備えられた画像データに基づくカラー画像を出力する画像出力端末におけるカラー画像の観察に関わる観察環境を管理するための観察環境管理方法であって、
前記画像出力端末のそれぞれに関わる観察環境情報を検出する段階と、
ネットワークを介して、前記検出された前記観察環境情報を収集する段階と、
前記収集した観察環境情報を分析し編集し、その結果を一覧表示するための一覧表示情報を生成する段階と、
前記一覧表示情報に基づいて前記一覧表示をする段階とを含むことを特徴とする観察環境管理方法。
【請求項１０】
複数の拠点に備えられた画像データに基づくカラー画像を出力する画像出力端末におけるカラー画像の観察に関わる観察環境を管理するための観察環境管理方法であって、
前記画像出力端末のそれぞれに関わる観察環境情報を検出する段階と、
ネットワークを介して、前記検出された前記観察環境情報を収集する段階と、
前記収集した観察環境情報を分析し編集し、その結果を一覧表示するための一覧表示情報を生成する段階と、
前記画像出力端末に、前記一覧表示情報を表示可能に送信する段階とを含むことを特徴とする観察環境管理方法。
【請求項１１】
複数の拠点に備えられた画像データに基づくカラー画像を出力する画像出力端末におけるカラー画像の観察に関わる観察環境を管理するための観察環境管理方法であって、
前記画像出力端末のそれぞれに関わる観察環境情報を検出する段階と、
ネットワークを介して、前記検出された前記観察環境情報を収集する段階と、
前記収集した観察環境情報を分析し編集し、その結果を一覧表示するための一覧表示情報を生成する段階と、
いずれかの前記画像出力端末からの要求を受ける段階と、
前記要求のあった画像出力端末に、前記一覧表示情報を表示可能に送信する段階とを含むことを特徴とする観察環境管理方法。
【発明の詳細な説明】
【技術分野】
【０００１】
本発明は、拠点毎に配置されたカラー画像を表示する複数の画像出力端末における画像の観察環境を管理するための観察環境管理サーバ、観察環境管理システム及び観察環境管理方法に関するものである。
【背景技術】
【０００２】
例えば、従来、印刷写真原稿を入稿する前に、その印刷写真原稿のリバーサルフィルムをビューアを用いて確認することが行われていた。この確認に用いるビューアは、光源の白色ポイントの色温度が５０００Ｋ（ケルビン）に統一されているので、色の見え方の統一性は確保されていた。
【０００３】
一方、近年のデジタルカメラの普及により、リバーサルフィルムに代わりデジタルデータ（画像データ）での入稿が一般化してきた。このようなデジタルデータによる印刷写真原稿の確認は、デジタルデータに基づく画像をモニタ等に出力して行われる。特に色の確認を行う場合には、出力色は使用するモニタに依存するので、モニタの出力色を一致させる必要がある。
【０００４】
そこで、モニタの出力する有彩色を測定してカラー画像表示性能を評価することにより行い、モニタの出力色について高い色再現性を実現することができるようにするものがある（例えば、特許文献１参照。）。また、本出願人により、拠点毎に配置された複数のモニタの出力色の管理を行うための色管理システムが提案されている。
【０００５】
ところが、複数のモニタについて上述のようにして出力色を一致させるようにしても、各モニタにおける、周囲光、背景色などの観察環境が異なれば、別な色に見えてしまう。また、周囲光に基づいて出力色を補正し、同じように見えるようにした画像処理装置（例えば、特許文献２）、また、背景色に基づいて出力色を補正し、同じように見えるようにした画像処理装置（例えば、特許文献３）があるが、色を概ね同じ様に見えるように補正することは可能であっても、厳密に色を同じ様に見えるように補正することは困難である。
【０００６】
【特許文献１】特開２００３−２４１７３２号公報
【特許文献２】特開平９−１０２８８２号公報
【特許文献３】特開平９−１８６８９６号公報
【発明の開示】
【発明が解決しようとする課題】
【０００７】
例えば、上述の画像データに基づく画像をモニタに出力して行う印刷原稿の確認などでは、厳密な色の出力が要求される。ところが、顧客であるクライアント、外注であるデザイナー、及び、印刷現場の作業者等が、印刷原稿の確認に用いるモニタは、出力色が一致するようになされていても、離れた拠点に設置されたものであるから、その観察環境が異なる場合がある。そのような場合には、モニタに出力した印刷原稿の色が、それぞれ別な色に見えてしまうため、その違いによって、例えば、クライアントがクライアントのモニタで印刷原稿を確認したときの色と印刷物の色とに差が発生してしまうなどの問題を引き起こすことがある。
【０００８】
したがって、管理者が各拠点のモニタの観察環境を管理し、出力色が同じ色に見えるようにすることが望まれているが、各拠点のモニタの観察環境を常に管理することは容易ではない。
【０００９】
本発明は、上記事情に鑑みてなされたものであり、その目的とするところは、拠点毎に配置されたカラー画像を出力する複数の画像出力端末における画像の観察環境の管理を一括して容易に行うことが可能な観察環境管理サーバ、観察環境管理システム及びその観察環境管理方法を提供することにある。
【課題を解決するための手段】
【００１０】
上記課題を解決するために、請求項１記載の発明は、画像データに基づくカラー画像を出力する画像出力端末におけるカラー画像の観察に関わる観察環境を管理する観察環境管理サーバであって、ネットワークを介して、観察環境情報を検出する検出手段を備えた複数の前記画像出力端末が接続され、前記画像出力端末のそれぞれの前記検出手段により検出された前記観察環境情報を収集し、前記収集した観察環境情報を分析し編集し、その結果を一覧表示するための一覧表示情報を生成する生成手段と、前記一覧表示情報に基づいて前記一覧表示をする表示手段とを有することを特徴としている。
【００１１】
また、請求項２記載の発明は、画像データに基づくカラー画像を出力する画像出力端末におけるカラー画像の観察に関わる観察環境を管理する観察環境管理サーバであって、ネットワークを介して、観察環境情報を検出する検出手段を備えた複数の前記画像出力端末が接続され、前記画像出力端末のそれぞれの前記検出手段により検出された前記観察環境情報を収集し、前記収集した観察環境情報を分析し編集し、その結果を一覧表示するための一覧表示情報を生成する生成手段と、前記画像出力端末に、前記一覧表示情報を表示可能に送信する送信手段とを有することを特徴としている。
【００１２】
また、請求項３記載の発明は、画像データに基づくカラー画像を出力する画像出力端末におけるカラー画像の観察に関わる観察環境を管理する観察環境管理サーバであって、
ネットワークを介して、観察環境情報を検出する検出手段を備えた複数の前記画像出力端末が接続され、前記画像出力端末のそれぞれの前記検出手段により検出された前記観察環境情報を収集し、前記収集した観察環境情報を分析し編集し、その結果を一覧表示するための一覧表示情報を生成する生成手段と、いずれかの前記画像出力端末からの要求を受けて、前記要求のあった画像出力端末に、前記一覧表示情報を表示可能に送信する送信手段とを有することを特徴としている。
【００１３】
また、請求項４記載の発明は、前記分析は、予め定められた合否基準と前記収集した観察環境情報とを比較して合否判定が行われ、前記一覧表示は、前記合否判定結果を表示することを特徴としている。
【００１４】
また、請求項５記載の発明は、前記観察環境情報は、前記画像出力端末の周囲の周囲光の照度、分光値、表色系の値、または、色温度の中の少なくとも１つを示すものであることを特徴としている。
【００１５】
また、請求項６記載の発明は、複数の拠点に備えられた画像データに基づくカラー画像を出力する画像出力端末におけるカラー画像の観察に関わる観察環境を管理するための観察環境管理システムであって、前記画像出力端末は、観察環境情報を検出する検出手段を備え、前記画像出力端末とはネットワークを介して接続され、前記画像出力端末のそれぞれの前記検出手段により検出された前記観察環境情報を収集し、前記収集した観察環境情報を分析し編集し、その結果を一覧表示するための一覧表示情報を生成する生成手段と、前記一覧表示情報に基づいて前記一覧表示をする表示手段とを備える観察環境管理サーバを含むことを特徴としている。
【００１６】
また、請求項７記載の発明は、複数の拠点に備えられた画像データに基づくカラー画像を出力する画像出力端末におけるカラー画像の観察に関わる観察環境を管理するための観察環境管理システムであって、前記画像出力端末は、観察環境情報を検出する検出手段を備え、前記画像出力端末とはネットワークを介して接続され、前記画像出力端末のそれぞれの前記検出手段により検出された前記観察環境情報を収集し、前記収集した観察環境情報を分析し編集し、その結果を一覧表示するための一覧表示情報を生成する生成手段と、前記画像出力端末に、前記一覧表示情報を表示可能に送信する送信手段とを備える観察環境管理サーバを含むことを特徴としている。
【００１７】
また、請求項８記載の発明は、複数の拠点に備えられた画像データに基づくカラー画像を出力する画像出力端末におけるカラー画像の観察に関わる観察環境を管理するための観察環境管理システムであって、前記画像出力端末は、観察環境情報を検出する検出手段を備え、前記画像出力端末とはネットワークを介して接続され、前記画像出力端末のそれぞれの前記検出手段により検出された前記観察環境情報を収集し、前記収集した観察環境情報を分析し編集し、その結果を一覧表示するための一覧表示情報を生成する生成手段と、いずれかの前記画像出力端末からの要求を受けて、前記要求のあった画像出力端末に、前記一覧表示情報を表示可能に送信する送信手段とを備える観察環境管理サーバを含むことを特徴としている。
【００１８】
また、請求項９記載の発明は、複数の拠点に備えられた画像データに基づくカラー画像を出力する画像出力端末におけるカラー画像の観察に関わる観察環境を管理するための観察環境管理方法であって、前記画像出力端末のそれぞれに関わる観察環境情報を検出する段階と、ネットワークを介して、前記検出された前記観察環境情報を収集する段階と、前記収集した観察環境情報を分析し編集し、その結果を一覧表示するための一覧表示情報を生成する段階と、前記一覧表示情報に基づいて前記一覧表示をする段階とを含むことを特徴としている。
【００１９】
また、請求項１０記載の発明は、複数の拠点に備えられた画像データに基づくカラー画像を出力する画像出力端末におけるカラー画像の観察に関わる観察環境を管理するための観察環境管理方法であって、前記画像出力端末のそれぞれに関わる観察環境情報を検出する段階と、ネットワークを介して、前記検出された前記観察環境情報を収集する段階と、前記収集した観察環境情報を分析し編集し、その結果を一覧表示するための一覧表示情報を生成する段階と、前記画像出力端末に、前記一覧表示情報を表示可能に送信する段階とを含むことを特徴としている。
【００２０】
また、請求項１１記載の発明は、複数の拠点に備えられた画像データに基づくカラー画像を出力する画像出力端末におけるカラー画像の観察に関わる観察環境を管理するための観察環境管理方法であって、前記画像出力端末のそれぞれに関わる観察環境情報を検出する段階と、ネットワークを介して、前記検出された前記観察環境情報を収集する段階と、前記収集した観察環境情報を分析し編集し、その結果を一覧表示するための一覧表示情報を生成する段階と、いずれかの前記画像出力端末からの要求を受ける段階と、前記要求のあった画像出力端末に、前記一覧表示情報を表示可能に送信する段階とを含むことを特徴としている。
【発明の効果】
【００２１】
本発明にかかる観察環境管理サーバ、観察環境管理システム及び観察環境管理方法によれば、拠点毎に備えられた複数の画像出力端末における観察環境を収集し、一覧表示することにより、一目で把握することができる。これにより画像出力端末の観察環境に問題があればそれを是正する措置を促すことが可能となり、観察環境の管理を一括して容易に行うことが可能となる。
【発明を実施するための最良の形態】
【００２２】
［第１の実施の形態］
以下、本発明に係る観察環境管理サーバを含む第１の実施の形態としての観察環境管理システムの好適な一実施形態について、図面を参照しながら具体的に説明する。
【００２３】
本発明の観察環境管理サーバは、各拠点に配置されたカラー画像を表示する複数の画像出力端末のそれぞれの観察環境情報を収集し、分析し編集して、各拠点の画像出力端末の観察環境を一覧表示することを可能にするものである。観察環境とは、画像出力端末が出力する画像の観察に関わる環境のことで、例えば、画像出力端末の周囲の周囲光の状態や、画像の背景色などの画像の色の見え方に影響を及ぼすものをいう。また、周囲光の状態を示すものとして、周囲光の照度、周囲光の色などがあり、さらに、周囲光の色を表すものとしては、分光値、表色系の値、または、色温度がある。
【００２４】
まず、本実施形態における観察環境管理システムの構成について、観察環境を周囲光の照度を一例として、図面を参照しながら詳細に説明する。
【００２５】
（システム構成）
図１は、当該観察環境管理システムのシステム構成を示す機能ブロック図である。観察環境管理サーバとしての管理サーバ１は、専用通信回線やインターネット等のネットワークＮにより、遠隔地にある複数の拠点Ｐ（図では、Ｐａ、Ｐｂ、Ｐｃ）と接続され、各拠点Ｐには画像出力端末としての端末装置２（図では、２ａ、２ｂ、２ｃ）が設置されている。
【００２６】
ここで、複数の拠点Ｐは、例えば、印刷会社、印刷会社の外注、顧客などである。また、拠点Ｐは、図１の各３つに限らず任意の数が接続されて良い。
【００２７】
端末装置２は、いわゆる、コンピュータ端末であって、キーボードやマウス等の入力手段２４（図では、２４ａ、２４ｂ、２４ｃ）と、例えば画像データに基づいて印刷写真原稿等のカラー画像を表示するＣＲＴ（ｃａｔｈｏｄｅ  ｒａｙ  ｔｕｂｅ）やＬＣＤ（ｌｉｑｕｉｄ  ｃｒｙｓｔａｌ  ｄｉｓｐｌａｙ）などのモニタである表示手段２３（図では、２３ａ、２３ｂ、２３ｃ）と、各種情報の送受信を行う通信手段２２（図では、２２ａ、２２ｂ、２２ｃ）と、表示手段２３の表示を制御する表示制御手段としての機能を備え、各種情報を受け付ける管理手段２１（図では、２１ａ、２１ｂ、２１ｃ）と、を備える。さらに、各端末装置２には、観察環境を検出する検出手段３（図では、３ａ、３ｂ、３ｃ）が接続され、本例では、表示手段２３周囲の周囲光の照度を検出する照度計が用いられる。
【００２８】
また、管理手段２１は、受け付けた各種情報をネットワークＮを介して管理サーバ１と送受信するウェブブラウザ機能を有する。そして、このウェブブラウザ機能を用いて、検出手段３で検出した照度を管理サーバ１に送信する。また、照度とともに、表示手段２３を示す識別情報や例えば検出日時を示す日時情報などの付帯情報を取得し、通信手段２２を介して送信するようになっている（詳細後述）。
【００２９】
また、端末装置２には、例えば図示しない記憶手段にカラープロファイルが設定されていて、そのカラープロファイルに基づき表示手段２３での表示する出力色が設定されるとともに各拠点Ｐａ、Ｐｂ、Ｐｃの表示手段２３ａ、２３ｂ、２３ｃの出力色が同じ出力色となるように管理手段２１により表示制御されている。具体的には、管理手段２１は、設定されたカラープロファイルに基づいて、例えば画像データに示されるＲＧＢ値を変換する変換手段としての機能をさらに有する（図示せず）。
【００３０】
管理サーバ１は、いわゆる、コンピュータ端末であって、コンピュータ本体と、キーボードやマウス等の入力手段１６と、ＣＲＴやＬＣＤなどの表示手段１４とを備えている。
【００３１】
また、管理サーバ１は、ネットワークＮを介して情報の送受信を行う通信手段である通信部１１を備え、さらに、表示手段１４の表示を制御する表示制御手段としての機能を備え、ネットワークＮ及び通信部１１を介して各種情報を受け付ける管理手段１３と、管理手段１３で受け付ける端末装置２から送信される照度と付帯情報とを関連付けて記憶する記憶手段としての機能を有する観察環境情報記憶手段１２を有する。また、詳細は後述するが、観察環境情報記憶手段１２に記憶された照度と付帯情報とから、各拠点Ｐの観察環境を分析しそれらを編集し、その結果を、例えば、表示手段１４で一覧表示するための一覧表示情報を生成する生成手段１５を有する。また、表示手段１４は、管理手段１３により表示制御され、生成された一覧表示情報を表示する。
【００３２】
（照度の検出）
表示手段２３周囲の周囲光の照度の検出について説明する。図２に、検出手段３が設置された端末装置２の外観図を示す。図２に示すように、検出手段３は、例えば、表示手段２３の表示画面２５に対して所定の位置に検出手段３の受光面３１を表示画面の向きと同じ方向にして設置され、表示手段２３周囲の照度を出力するように構成される。また、図２に表示した検出手段３の位置及び向きは一例であって、例えば、受光面３１を上向きにして、上部の照明（図示せず）から表示手段２３周囲に照射される光の照度を検出するようにしてもよい。
【００３３】
（一覧表示）
次に、検出した照度の一覧表示の一例について図を用いて説明する。図３は、照度の検出及び一覧表示の手順を示すフローチャートである。
【００３４】
図３によれば、作業者が端末装置２の入力手段２４を操作すると、管理手段２１は、その操作内容を受け、図４に示す検出画面２３１を表示手段２３に表示させる（ステップＳ１０１、以下「ステップＳ１０１」は「Ｓ１０１」のように省略して表す。他のステップも同様。）。そして、作業者が検出画面２３１を操作することにより、管理手段２１は、照度を取得するとともに付帯情報を取得する（Ｓ１０２）。
【００３５】
具体的には、作業者が、マウス等によりカーソルを移動させて、検出キー２３２をクリックすると、管理手段２１は、検出手段３により照度の検出を行い、照度を取得し、照度表示欄２３６に表示するとともに、そのときの日時を検出日時として取得する。日時は、端末装置２が備える図示しないタイマーを参照しそのときの日時を取得するようにして取得することが可能である。キャンセルキー２３３は、検出を中止するためのものである。次に、作業者は、カーソルをモニタ名入力欄２３４に移動させ、キーボード等を用いて、モニタ名を、例えば、「モニタＡ」と入力する。
【００３６】
上記検出及び入力が済み、作業者が送信キー２３５をクリックすると（Ｓ１０３、Ｙ）、管理手段２１は、照度を照度データとし、日時及びモニタ名を付帯情報として、さらに付帯情報として拠点Ｐを示す送信元情報などを付加し、通信手段２２を介して管理サーバ１に送信する（Ｓ１０４）。ただし、送信キー２３５は、検出及びモニタ名の入力がなされた後に表示されるようにするとよい。また、キャンセルキー２３３は、検出及び送信を中止するためのものである。
【００３７】
また、上記の検出画面２３１を用いた入力等は１例であって、検出画面２３１の照度欄２３６に照度を記入することや、予めモニタ名を設定しておき、そのモニタ名を自動的に表示するなど、上記に限られるものではない。
【００３８】
また、照度データや付帯情報の送信は、上述のように作業者が検出画面２３１を用いて行う方法に限らず、例えば、管理手段２１が定期的に検出手段３により照度の検出を行い照度を取得し、付帯情報を付して通信手段２２を介して管理サーバ１に送信するようにすることも可能である。
【００３９】
そして、管理サーバ１の管理手段１３は、通信部１１を介して検出データ及び日時及びモニタ名等の付帯情報を受信すると（Ｓ１０５、Ｙ）、検出データと付帯情報とを対応させ、図５に示すような構造のデータベースに、例えば、表示手段ごとに日時と照度とを１組にして、観察環境情報記憶手段１２に記憶する（Ｓ１０６）。
【００４０】
次に、管理サーバ１の生成手段１５は、表示手段１４に照度を一覧表示するための一覧表示情報を生成し（Ｓ１０７）、管理手段１３は、表示手段１４を制御して、一覧表示情報に基づいて各拠点Ｐの表示手段２３周囲の周囲光の照度について一覧表示する（Ｓ１０８）。そのために、生成手段１５は、観察環境情報記憶手段１２に記憶された検出データのうち付帯情報の日時情報を参照し最新か否かを判定して各拠点Ｐの表示手段２３について最新の検出データを収集し、例えば、図６に示すような各拠点Ｐの表示手段２３の照度を編集した一覧表を示す一覧表示情報を生成する。図６は、各拠点Ｐの表示手段２３について日時、照度及び判定結果を示した。ここで、照度は検出データから求めた値で、判定結果はその求めた値について後述のように判定した結果で、合格を「○」不合格を「×」で示したものある。判定は、例えば画像観察への影響の少ない照度を予め合否基準として定めておき、その合否基準と照度とを比較して行う。例えば、合否基準を「所定の〔ｌｘ〕以下の照度を合格、それを越える照度ならば不合格」あるいは、「所定の〔ｌｘ〕の範囲の照度を合格、それを以外の照度ならば不合格」と定めてき、収集した照度の〔ｌｘ〕と合否基準の〔ｌｘ〕とを比較する。ここで、本発明の「分析」は、例えば、上述の最新か否かの判定や、合否判定などであり、「編集」は、一覧表にすることなどである。
【００４１】
そして、管理者はこの一覧表示を見ることにより、接続された各拠点Ｐの表示手段２３周囲の周囲光の照度を一括して容易に確認することができる。また、図６に示すように判定結果を表示することにより不合格すなわち周囲光が不適な照度を一目で把握することができる。これにより管理者は、表示手段２３の周囲光の照度が不合格の拠点について、照明の調整や、照明の交換などの是正措置を促すことが可能となる。
【００４２】
また、一覧表示された各拠点Ｐの表示手段２３の名称を画面上でクリックすることにより、そのクリックされた名称の拠点Ｐの表示手段２３周囲の周囲光の照度についての詳細情報を表示するようにしてもよい。例えば、図７に示すような横軸を時間軸（図７では日付）とし縦軸を照度とするグラフを表示し、さらに、合否基準（図７では破線で表示）を重ねて表示する。これによれば、経時的な変化や、合否基準との差を容易に把握できる。また、一日の間の変化を把握することにより外光の影響などを是正することが可能となる。また、時間的変化を確認するような場合には、管理手段２１が定期的に検出手段３により照度の検出を行い管理サーバ１に送信するようにしておけばよい。
【００４３】
〔その他の観察環境〕
ここで、観察環境を周囲光の色とする場合について説明する。上述したが周囲光の色を表すものとは、分光値、表色系の値、または、色温度である。この場合の検出手段３としては、それぞれを検出対象するものでもよいが、例えば、分光値を検出対象とし、検出した分光値から表色系の値、または、色温度を演算により求めてもよい。そして、その演算結果から、照度の場合と同様に一覧表、合否基準との比較による判定結果、または、詳細情報を表示するができる。したがって、観察環境を周囲光の色とする場合には、分光値、表色系の値、または、色温度を検出対象とする検出手段３を備え、検出対象と表示する内容に応じて演算手段を備えればよい。また、この演算手段は、検出手段３、端末装置２、または、管理サーバ１のいずれかに備えればよい。また、検出手段３は、照度の場合と同様に設置すればよい。
【００４４】
また、分光値を検出し、分光値、表色系の値、及び、色温度を一覧表示する例を以下に示す。また、分光値、表色系の値、及び、色温度の演算関係についても述べる。また、以下では、上述の演算手段としての機能を生成手段１５が備えるものとする。
【００４５】
初めに、照度の場合と同様に、検出手段３で分光値Ｒ（λ）を検出する。例えば、分光値Ｒ（λ）は、波長λにおける放射率であり、波長λは３８０ｎｍから７３０ｎｍとする。そして、上述の照度の場合と同様に、検出結果を観察環境情報記憶手段１２に記憶する。
【００４６】
例えば、生成手段１５では分光値Ｒ（λ）の検出結果に基づいて以下に述べるように分析、編集を行って、一覧表示情報を生成する。
【００４７】
図８に検出結果の分光値Ｒ（λ）の分布を示す。分光値の判定は、例えば、標準光源の分光値分布を予め基準となる分光値ＲＴ（λ）分布として定めておき、得られた分光値Ｒ（λ）分布の基準の分光値ＲＴ（λ）分布に対する誤差を求め、合否基準を「誤差が所定の値以下ならば合格、所定の値を超えていれば不合格」とし、判定を行う。
【００４８】
次に、表色系の値としてＸＹＺ表色系の値のＸ、Ｙ、Ｚの三刺激値を求める。Ｘは、Ｒ（λ）にｘ（λ）を掛けた値を全波長（３８０ｎｍから７３０ｎｍ）について足し合わせて求め、Ｙは、Ｒ（λ）にｙ（λ）を掛けた値を全波長（３８０ｎｍから７３０ｎｍ）について足し合わせて求め、Ｚは、Ｒ（λ）にｚ（λ）を掛けた値を全波長（３８０ｎｍから７３０ｎｍ）について足し合わせて求める。このｘ（λ），ｙ（λ），ｚ（λ）は、ＣＩＥ（  Ｃｏｍｍｉｓｓｉｏｎ  Ｉｎｔｅｒｎａｔｉｏｎａｌｅ  ｄｅ  ｌ’Ｅｃｌａｉｒａｇｅ  （国際照明委員会））で定められているＣＩＥ１９３１  ＸＹＺ表色系等色関数ｘバー（λ），ｙバー（λ），ｚバー（λ）（ＣＩＥ１９３１中では、このｘ，ｙ，ｚの上にはバー（−）が付けられている。）の値と標準光源の値とを掛け合わせた値である。そして、Ｘ、Ｙ、Ｚの各値の判定は、予めＸ、Ｙ、Ｚそれぞれについて合否基準を「所定の範囲を合格、それ以外を不合格」とし、判定を行う。
【００４９】
次に、Ｘ、Ｙ、Ｚの三刺激値から色度座標（ｘ、ｙ）を求め、さらに色度座標（ｘ、ｙ）から色温度Ｔ（Ｋ）求める。
【００５０】
まず、上述のようにして求めたＸ、Ｙ、Ｚの三刺激値から、色度座標（ｘ、ｙ）を
ｘ＝Ｘ／（Ｘ＋Ｙ＋Ｚ）
ｙ＝Ｙ／（Ｘ＋Ｙ＋Ｚ）
と求める。色温度Ｔ（Ｋ）はｘｙ色度図上で、図９に示すような曲線で示される（図９には、参考のため可視光の色範囲を併せて示してある。）。また、図１０は図９の色温度の各点の色度座標（ｘ、ｙ）を数値で示したものであるが、これらの数値からＷ（白色）の色度座標（ｘ、ｙ）の近似点を求めさらに色温度を求めることができる。そして、色温度Ｔ（Ｋ）の判定は、予め色温度について合否基準を「所定の範囲を合格、それ以外を不合格」とし、判定を行う。
【００５１】
そして、図１１に示すように各拠点Ｐの表示手段２３の分光値、Ｘ、Ｙ、Ｚの三刺激値、及び、色温度とそれらの判定結果を編集した一覧表を示す一覧表示情報を生成する。図１１は、各表示手段２３について拠点Ｐ、日時、分光値の判定結果、Ｘ、Ｙ、Ｚの三刺激値とそれぞれの判定結果、及び色温度と判定結果とを示した。
【００５２】
また、一覧表示された各拠点Ｐの表示手段２３の分光値、Ｘ、Ｙ、Ｚの三刺激値、または、色温度を画面上でクリックすることにより、そのクリックされた分光値、Ｘ、Ｙ、Ｚの三刺激値、または、色温度についての詳細情報を表示するようにしてもよい。例えば、分光値は、詳細情報として、図８に示した分光値Ｒ（λ）の分布を示す。またこの際に、基準となる分光値ＲＴ（λ）分布を重ねて表示すれば、基準との差を容易に把握できる。また、Ｘ、Ｙ、Ｚの三刺激値は、図１２に示すような横軸を時間軸とし縦軸を各値とするグラフを表示し、さらに、合否基準（図１２では破線で表示）を重ねて表示する。これによれば、経時的な変化や、合否基準との差を容易に把握できる。また、一日の間の変化を把握することも可能である。また、色温度は、図１３に示すような横軸を時間軸とし縦軸を色温度とするグラフを表示し、さらに、合否基準（図１３では破線で表示）を重ねて表示する。これによれば、経時的な変化や、合否基準との差を容易に把握できる。また、一日の間の変化を把握することも可能である。
【００５３】
また、〔発明を実施するための最良の形態〕の冒頭に述べたが、観察環境は、画像の色の見え方に影響を及ぼすものであり、画像の背景色などであってもよい。
【００５４】
［第２の実施の形態］
次に、本発明に係る第２の実施の形態について説明する。なお、以下には第１の実施の形態と実質的に同様の構成については、詳細な説明を省略し、主に異なる点について述べる。
【００５５】
本実施の形態の管理サーバ１は、生成手段１５で生成した一覧表示情報を各拠点Ｐで表示するようにしたものである。
【００５６】
（システム構成）
端末装置２の管理手段２１は、受け付けた各種情報をネットワークＮを介して管理サーバ１と送受信するウェブブラウザ機能、また、電子メールの送受信を行う電子メール機能を有し、管理サーバ１から送信される画面情報を表示手段２３で表示することや、さらに、電子メール機能により例えば管理サーバ１から送信される電子メールを表示手段２３で表示することが可能である。
【００５７】
管理サーバ１の管理手段１３は、生成された一覧表示情報を端末装置２で表示可能な画面情報として通信部１１を介して端末装置２に送信する機能、電子メールの送受信を行う電子メール機能を有し、作成された一覧表示情報を電子メールで通信部１１を介して端末装置２に送信する機能を有する。本発明の送信手段は、管理手段１３及び通信部１１で構成される。
【００５８】
（一覧表示）
次に、観察環境を周囲光の照度を一例として、検出した照度の一覧表示の一例について図を用いて説明する。図１４は、照度の検出及び一覧表示の手順を示すフローチャートである。
【００５９】
Ｓ２０１乃至Ｓ２０７は、第１の実施の形態で説明した図３に示したＳ１０１乃至Ｓ１０７に相当する。そして、Ｓ２０８では、管理手段１３は、生成された一覧表示情報を端末装置２で表示可能な画面情報として通信部１１を介して端末装置２に送信する。そして、端末装置２は、一覧表示情報示す画面情報を受けると（Ｓ２０９、Ｙ）、管理手段２１は、表示手段２３で画面情報を表示するように制御し、各拠点Ｐの表示手段２３周囲の周囲光の照度について一覧表示する（Ｓ２１０）。
【００６０】
また、管理手段１３は、生成された一覧表示情報を電子メールで通信部１１を介して端末装置２に送信し、端末装置２は、電子メールを受けて表示するようにしてもよい。
【００６１】
このように、端末装置２で一覧表示を見ることにより、接続された各拠点Ｐの表示手段２３周囲の周囲光の照度を一括して容易に確認することができる。これにより、例えば、クライアントと印刷現場の作業者等が同じ印刷原稿の確認を行う場合に、お互いの観察環境を容易に確認できるので、お互いの観察環境を同じものに是正することが可能となる。
【００６２】
［第３の実施の形態］
次に、本発明に係る第３の実施の形態について説明する。本実施の形態の管理サーバ１は、生成手段１５で生成した一覧表示情報を、拠点Ｐからの要求に応じて、要求のあった各拠点Ｐで表示するようにしたものである。
【００６３】
図１５は、拠点Ｐからの要求及び一覧表示の手順を示すフローチャートである。この場合、例えば照度データ及び付帯情報は、第１の実施の形態で説明した図３に示したＳ１０１乃至Ｓ１０６と同様にして、観察環境情報記憶手段１２に記憶されているものとする。
【００６４】
図１５によれば、作業者が、端末装置２の入力手段２４を操作し、一覧表示情報を要求する旨の送信を行うための入力を行うと（Ｓ３０１、Ｙ）、管理手段２１は管理サーバ１に、一覧表示情報提供要求を送信する（Ｓ３０２）。
【００６５】
管理サーバ１は、一覧表示情報提供要求を受けると（Ｓ３０３、Ｙ）、生成手段１５は、観察環境情報記憶手段１２に記憶されている照度データ及び付帯情報からＳ１０７と同様に照度を一覧表示するための一覧表示情報を生成し（Ｓ３０４）、生成された一覧表示情報を端末装置２で表示可能な画面情報として通信部１１を介して要求元の端末装置２に送信する（Ｓ３０５）。
【００６６】
そして、端末装置２は、一覧表示情報示す画面情報を受けると（Ｓ３０６、Ｙ）、管理手段２１は、表示手段２３で画面情報を表示するように制御し、各拠点Ｐの表示手段２３周囲の周囲光の照度について一覧表示する（Ｓ３０７）。
【００６７】
また、Ｓ３０１の入力の際に、図１６に示すような要求画面２４１を表示させて、作業者が、要求画面２４１の複数のモニタ名入力欄２４２を用いて、プルダウンメニューにより比較対象モニタ名を２つ以上選択して一覧表示情報提供要求を送信することにより、生成手段１５が、選択された表示手段２３についての照度を一覧表示するための一覧表示情報を生成するようにすることも可能である。
【図面の簡単な説明】
【００６８】
【図１】本発明に係る観察環境管理システムのシステム構成を示す機能ブロック図である。
【図２】検出手段が設置された端末装置を示す外観図である。
【図３】本発明に係る一覧表示手順を示すフローチャートである。
【図４】端末装置の表示手段に表示される検出画面の一例を示す図である。
【図５】観察環境情報記憶手段に記憶する検出データ及び付帯情報の構造を説明するための説明図である。
【図６】表示手段に表示される一覧表の一例を示す図である。
【図７】照度の詳細情報を示すグラフの一例である。
【図８】分光値の分布の一例を示す図である。
【図９】色温度Ｔ（Ｋ）をｘｙ色度図上に示した図である。
【図１０】図９に示した色温度Ｔ（Ｋ）に対する（ｘ、ｙ）を数値示す図である。
【図１１】表示手段に表示される一覧表の一例を示す図である。
【図１２】Ｘ，Ｙ，Ｚの三刺激値の詳細情報を示すグラフの一例である。
【図１３】色温度の詳細情報を示すグラフの一例である。
【図１４】第２の実施の形態における一覧表示手順を示すフローチャートである。
【図１５】第３の実施の形態における一覧表示手順を示すフローチャートである。
【図１６】端末装置の表示手段に表示される要求画面の一例を示す図である。
【符号の説明】
【００６９】
１  管理サーバ
１１  通信部
１２  観察環境情報記憶手段
１３  管理手段
１４  表示手段
１５  生成手段
１６  入力手段
２  端末装置
２１  管理手段
２２  通信手段
２３  表示手段
２４  入力手段
３  検出手段
Ｐ  拠点
Ｎ  ネットワーク
【図１】
2006252375.tif 000003
【図２】
2006252375.tif 000004
【図３】
2006252375.tif 000005
【図４】
2006252375.tif 000006
【図５】
2006252375.tif 000007
【図６】
2006252375.tif 000008
【図７】
2006252375.tif 000009
【図８】
2006252375.tif 000010
【図９】
2006252375.tif 000011
【図１０】
2006252375.tif 000012
【図１１】
2006252375.tif 000013
【図１２】
2006252375.tif 000014
【図１３】
2006252375.tif 000015
【図１４】
2006252375.tif 000016
【図１５】
2006252375.tif 000017
【図１６】
2006252375.tif 000018